(57)【要約】      （修正有）【課題】梱包する際に結紐することなく簡単に紐状物を張接し狭持具に狭持されて緊締後に紐状物を切り支持台に遊挿する巻回体と切断具を支持する切断具並びに支持台及び狭持具を提供する。【解決手段】切断具１の基管体２の開口部は、近傍する切断刃３を有し持空間部２ｄの上部辺から誘導溝２ｃが形成し係止具８は、適宜位置の基管体２に横穿し螺入する固定する基管体２の後部開口部に紐状物６の保持力手段として保持具４を挿着する。このことで、切断具１と狭持具７により紐状物６は張設され結紐なく狭持された後に、誘導溝２ｃを介して切断具１の切断刃３に導かれ紐状物６は切られ切断具１は支持台５に支持する。【選択図】  図４
2004323051.tif 000002
【特許請求の範囲】
【請求項１】
支持台に巻回体が遊挿され且つ、切断具を支持する支持手段を有した支持台と切断具の基管体に、紐状物の一端を掴持する掴持部空間部から開口部にかけて、紐状物を刃断空間部に導く誘導溝が刻設し該誘導溝の対向位置に挿入溝を有し切断刃が挿着され更に、紐状物を巻回し係止する係止手段を有する係止具は、掴持部空間部の近傍に有しまた、基管体の下部開口部に紐状物を抑制し保持する保持手段を有した保持具が挿着され切断具は、前記係止具により紐状物を張設しながら梱包物と狭持具に介挿する紐状物は、狭持し結紐することなく緊締することを特徴とする切断具並びに支持台及び狭持具
【請求項２】
前記の保持具はゴム系から成る弾性体で、テーパー形状を有し且つ、
該テーパー形状の上面部より貫通する保持孔を有し更に、側面部から該保持孔までに切り込み線で形成したことを特徴とした請求項１に記載した切断具並びに支持台及び狭持具
【請求項３】
前記の支持台の支持手段として支柱体の開口部から紐状物の逃げのため切欠き部を形成した中空筒形状から成り更に、開口部から狭窄する内周面を形成することで切断具を支持する支持手段を有する支柱体を台座に植設されたことを特徴とした請求項１から２のいずれかに記載した切断具並びに支持台及び狭持具
【請求項４】
前記狭持具の基体は、方形を有した樹脂性からなる係止空間部を形成し更に該係止空間部から上方に案内溝と上部開先部とが刻設され且つ、係止空間部の下方に狭持する形状を有する係止部が刻設し基体の下部に下部開先部と中央部に弧状空間部が干渉を有することなく刻設し更に、両縁部のどちらか一方に突設部を有したことを特徴とした請求項１から３のいずれかに切断具並びに支持台及び狭持具
【請求項５】
前記狭持具の基体は、円環形を有した係止空間部より上部開先部が形成したことを特徴とした請求項１から４のいずれかに記載した切断具並びに支持台及び狭持具
【発明の詳細な説明】
【０００１】
【産業上の利用分野】本発明は、紙管に巻回された紐状物の巻回体や無芯の巻回体からの紐状物を切断具で紐状物を張設しながら狭持具と梱包物の間に数回巻回した後に狭持された紐状物を切断具の切断刃で切り結紐することなく挟持する切断具並びに巻回物支台及び狭持具に関するものである。尚、ここで紐状物とは、紐、テープ、糸、ロープ等を示す。
【０００２】
【従来の技術】従来品として梱包物や厨芥袋をプラスチックテープや紐等から成る紐状物で梱包物や厨芥袋を結紐するとき所要長さに繰り出した後にカッタナイフ等で切ってから結紐していた。
【０００３】また、開示された特開平２０００−４２９７６号公報より紐状物所要長にし紐状物を手で掴み手前に引くことで一端にゴムを有した回動部は、ケースに有した支軸を中心に回動し、ケースの底板の間に挟持され紐状物は保持された後にケースに有した刃で所要長さに紐状物を切り結紐していた。また、開示された特開平７−１０３７９号公報よりスリットを形成した剛性板とクッション材の間に介在する切断刃は、スリットの奥に刃を有し、紐状物の保持力のためにクッション材の中央部から放射状に伸びた切込みを形成し、そして、剛性板の中央に穿孔を形成することで該穿孔から紐状物を所要長さに繰り出した後に紐状物をスリットの奥に有する刃で切ることを可能にしていた。
【０００４】次に、特開平Ｈ１−９２０９５号公報よりスタンドは、支台と支柱から構成され支柱には、種類別の複数の巻回体が遊挿された後に支柱の上部には、
スリットを形成した奥に切断刃を具備した把持部を形成し、このことで所要長さに繰り出した後に紐状物をスリットに挿入し該スリットの奥に有する切断刃で切った後に梱包物に結紐していた。また、特開平９−７７１５５号公報よりＬ形文字に屈曲した一端に誘導溝が形成し該誘導溝の奥にカッターを有する切断具は、無芯の中空玉巻の中央を向くように該中空玉巻の外周にフイルム等で被覆し固定され次に、無芯の中空玉巻の中央から取り出した紐状は、所要長さに決め、誘導溝の奥に在るカッタで切った後に梱包物に結紐していた。次に、特開平７−２９１２９６号公報より容器本体に梱包紐が収納され蓋体に挿通孔が形成し且つ、放射上に設けた切込み舌片を有することで挿通し保持され蓋体の上面に回動自在に有した切断具を具備したカッター台は、容器本体に収納した梱包紐を蓋体の切込み舌片から引出した適宜長さに切断具で切った後に梱包物に結紐していた。
【０００５】また、鋸状歯を形成した本体を紙管に巻回した筒形状した紐状物の外周面を摺動し所要長さに鋸状歯で切り梱包物や厨芥袋を結紐していたし特開平２０００−１５９４２５号公報が開示され前記同様に鋸状歯の刃先が巻回体の外周面に摺動可能し取り付け安全対策のために刃先に色彩で識別できるよう鋸状歯の刃先と地色に色彩の差異を有することで、肉眼で簡単に鋸状歯の刃先の識別できるようにし、テープを切る部位に手や指等に怪我をしない安全対策を施していた。
【０００６】
【発明が解決しようとする課題】梱包物や厨芥袋を紐やプラスチックテープ等で梱包する前に、ナイフ等を予め用意しするために机の引出の中、紐状物は棚と別々に探さなく近くに常備されて無いことが多く梱包作業が非常に悪かった。
【０００７】次に、特開平Ｈ７−１０３７９号公報と特開平Ｈ７−２９１２９６号公報で開示され、紐状物の保持力手段としてゴムから成る弾性体の中央に貫通孔を設けここから放射上に複数切込むことで舌片を有し保持力を可能にしたが、ここで問題点が生じ舌片状のゴムで紐状物が切断具から抜けない程度のための保持力しか発生しなく、仮に紐状物を切るには前記の開示の内容に関しては、片方の指等で紐状物上と本体を直接押圧し保持された後片方の手では、所要長さに紐状物を掴み刃に当接され切っていた。また、後期の開示の内容に関しては、カッター台を手で押さえ且つ、もう片方の手で紐状物を掴持し引くことで所要長さに切り、それから梱包物を結紐するので梱包作業が非常に悪くなる。
【０００８】また、前記で開示された内容の殆どが紐状物を切断する場合は、殆ど指が入らないスリットや誘導溝が形成した奥に刃を有する構造であるが、ここで問題点が生じる。まず、刃先を紐状物が交叉し左右に滑らせることで該紐状物は、始めて切断可能となるが指が入らない幅のスリットや誘導溝で広い紐状物を挿入したとき、刃先を紐状物が左右に滑らすだけの幅は確保されてない。この条件下のもとでは、刃先に紐状物を押圧しながら強く引くことで、切るのではなく裂くことになる。また、指が入らないスリットの幅で刃を斜めにした従来品も存在しているが、スリットの幅は指が入らない為、狭く上記の如くすんなりと切れない可能性も生じる。これらのことで、プラスチックテープ等は、手で丸めて細くすることで左右に刃先上を滑らすだけの余裕がスリットや誘導溝内に確保することが必要で、非常に梱包作業が著しく悪くなるし切るためには限られた細い紐状物しか使用できなくなる可能性も生じてくる。
【０００９】また、前記の切断のことを引き続き説明するとテレビ等で芸人が日本刀の刃先に素足で載上し日本刀から降りたとき素足は切れてなかったシーンがあったが、何故、日本刀の刃先から降りたとき素足は切れてなかった。このことは、前記で説明した原理と同じ理由で、日本刀の刃先に素足で載上している間は、日本刀の刃先と素足の相対位置は、常の零を確保しているため要するに素足が刃先を滑らなかった為で素足は切れない結果となり前記での説明したとおり紐状物を刃先上で左右に滑らすことで始めて切ることが可能となる。
【００１０】特開平Ｈ１−９２０９５号公報は、支台に植設した支柱に複数の違った巻回体を遊挿し、支柱の最上部に在る切断刃を設けた把持部を有するスタンドおいて、該スタンドを手で持ち運ぶ時に使用するが、把持部をわざわざ設けなくてはならなかった。また、紐状物等を切った後に巻回体から紐状物が解けないようにしなければならないので、この作業は非常に面倒臭いことである。そして、支柱に複数の巻回体を遊挿するので全体の重心は高くなりため最上段の巻回体の紐状物を引いた場合、スタンドの転倒する可能性が生じる。何故なら繰り出す力で支台の周縁を支点に転倒モーメントが生じ易く転倒しやすくなる。これを防ごうとすると、支台を大きくし転倒モーメントが生じても転倒し難くするが今度は、材料費が高く価格が高く推移してしまう。
【００１１】開示された特開平２０００−４２９７６号公報より紐状物の保持力は、これも今まで説明してきたと同様に、巻回物の側で紐状物を切るだけなのですが非常に複雑な構造になってきている。まず、紐状物を手で掴み手前に引くことで回動部の一端にゴムを有した該回動部は、ケースに有した支軸を中心にスプリングを介して回動自在になりケースの底板の間に挟持される紐状物は保持されるた後、ケースに有した刃で切っていたがこの動作からも理解することが出来、まず、複雑化した機構を具備するので複数の部品等で構成され、前記同様に価格が高くなる傾向に推移してしまう。
【００１２】そこで、今まで開示された殆どの発明は、紐状物を切り器具でしかなく予め紐状物を切った後に梱包物や手で周囲を巻回し短い紐状物の端を把持し結紐するのは非常に面倒臭かったので、梱包作業も非常に悪く複雑な機構も存在したので価格も高くなる。そこで、本発明品は梱包物や厨芥袋を緊締と同時に切るの作業を行うことで誰でも簡単に紐状物を結紐することなく狭持され至便性が高く、そして価格を廉くする。
【００１３】
【発明が解決するための手段】本発明は上記問題点を考慮に入れ中空の筒状形をし切断具に掴持空間部から把持できる長さにした紐状物を保持具に挿入した後に切断具の後部開口部から挿着する。次に、掴持空間部から把持した紐状物を繰出し該紐状物の一端を挟持具に係止した後に梱包物や厨芥袋の周囲に切断具で巻掛け該切断具の掴持空間部から伸びる巻状物を切断具の係止具に数回巻回し、もう片方で把持する挟持具の下部に巻状物を係合することで切断具を強く引き紐状物は、より強く張設され挟持具と梱包物の間に介挿され該挟持具の弧状空間を中心に切断具の係止具で数回巻回したことで弛緩することなく紐状物は狭持される。次に、紐状物に対して切断具を垂直にすると係止具から紐状物は、解け初め其の後に切断具の開口部を紐状物の方向に向け該紐状物は、保持具に挿着し通過しているため保持力が発生し張設され掴持空間部から誘導溝を通過し刃断空間部に達し紐状物が切断刃に当接し切断具の把持部を手で把持し該切断具を左右に開口部を数回振ることで、切断刃と紐状物が交叉するように数回振られ簡単に切ることが可能にした。
【００１４】また、紐状物を切った後に切断具を支持台に保持するには、まず、支持台は、台座に切欠き部を形成した支柱体が植設され該支柱体に巻回体を遊挿された後に紐状物は、切欠き部を通し切断具の後部を支柱体に押圧し挿着され支持台に切断具は、立設すると共に該切断具の把持部を有し支持台共に持ち運び可能にしたことで、特別に把持部を支持台に設けることなく紐状物とカッターナイフ等を探す手間が省け老若男女問わず誰でも簡単に結紐することなく梱包され且つ、指に安全に紐状物を切り且つ廉く切断具並びに支持台及び狭持具を提供することを特徴とする。
【００１５】
【発明の実施の形態】以下、本発明の実施形態に係る切断具並びに巻回物支台及び挟持具を図１〜図１０に基づいて説明する。
【００１６】図１（ａ）より切断具１の構成の説明する。切断具１は、基管体２、把持部２ａ，、刃断空間部３ｂ、切断刃３、挿入溝３ａ、誘導溝２ｃ、掴持空間部２ｄ、係止具８、保持具４で構成する。
【００１７】切断具１より中空で筒形状をした基管体２に紐状物６の一端を掴持する掴持空間部２ｄを刻設し該掴持空間部２ｄより基管体２の開口部に向けて安全に切断刃３から指を守るための幅と長さであって、基管体２に誘導溝２ｃの長さの略半分に位置する処の対向位置に、挿入溝３ａが基管体２の軸芯の略中心まで刻設された後に切断刃３を押圧挿着され、その後に樹脂等の溶融固定し該切断刃３と基管体２の内周面の間に刃断空間部３ｂを形成する。また、挿入溝３ａの位置は、この限りでは無く、誘導溝２ｃ上からも挿入溝３ａが形成可能でここから切断刃３を挿着する。
【００１８】更に、掴持空間部２ｄの下部の近傍に有する係止具８は、紐状物６を張設するときに係止させる為の係止手段であって円形状をした係止具頭部８ａと係止具巻回部８ｂ  から成り、係止具８は、基管体２に形成する横穿に螺入することで係止具８を固定する。そして、基管体２の後部開口部に保持具４が挿着する。基管体２の材質としては、樹脂性が一番好ましいが、この限りではなく鉄管でも可能であるが、好ましくは、手に持って軽い樹脂の方が使いやすい。また、係止具８は、金属系のものを使用するとよく、基管体２の材質としては、樹脂性が一番好ましいが、この限りではなく鉄管でも可能であるが、手に持って軽い樹脂の方が使いやすい。また、係止具８は、金属系のものを使用するとよい。
【００１９】また、図１（ｂ）より紐状物６を切断刃３に導くための説明をする。まず、掴持空間部２から誘導溝２ｃが刻設し、掴持空間部２ｄの掴持部周縁２ｆと誘導溝２ｃの交叉上に開先部２ｇを形成することで、容易に紐状物６を掴持部周縁２ｆに沿って誘導溝２ｃそして、切断刃３上に導かれる。このことで、紐状物６は常に細く円形したものだけでなく、プラスチック性の幅のある紐状物６だと誘導溝２ｃを通過しにくい場合も生じ、開先部２ｇを形成すると紐状物６は引っかかりもしなく容易に切断刃３上に導くため至便性が高くなる。また、誘導溝２ｃの形状はこの限れではなく、指が入らない条件下のもとでの幅は、平行或いは、掴持部周縁２ｆの沿って開口部に向けて狭窄する形状のどちらを使用しても可能である。
【００２０】図２より保持具４の機能を説明する。まず、テーパー形状を有するゴム系からなる弾性体で、保持具４の上面部より紐状物６が勝手に繰り出ないように抑制ための保持力手段が発生する保持孔４ａは、貫通され、保持具４の側面部から該保持孔４ａまで切込み線４ｂを形成し、このことで該切込み線４ｂから紐状物６を挿入し保持孔４ａまで容易に挿入することが可能になる。
【００２１】図３の斜視より支持台５の構成と機能の説明をする。まず、支持台５は、支柱体５ａ、開口部５ｂ、切欠き部５ｃ、台座５ｂで構成する。次に、台座５ｂに植設される中空の筒形状を支柱体５ａは、該支柱体５ａの開口部５ｂから下方向にかけて紐状物６（図示指示なし以下省略）を通すための切欠き部５ｃが形成し且つ、開口部５ｂの内面から下方向にかけて狭窄するテーパー形状したことで切断具１（図示指示なし以下省略）を挿着する際には、開口部５ｂの切欠き部５ｃを形成するため僅かながら変形を伴うことで、軽く押圧することで奥まで挿入しより一層の狭持力が発生する。また、この狭持力とは、すべての構成部品等の全重量より以上の重量に対し切断具１で持ち上げることが可能な力の強さのことで、このことにより支持台５に切断具１は、保持され、該切断具１の把持部２ａを把持することで持ち運びが楽になり、また、材質は、台座５ｂは、木や樹脂性で作られるが鉄でも可能でまた、支柱体５ａは、狭持力で保持する場合は、樹脂の本来有している弾性力を発生するのが好ましい。
【００２２】図４（ａ）の斜視図は、支持台５に巻回体６ｂが遊挿された後に切断具１が保持される説明をする。まず、支持台５の支柱体５ａに遊挿される紙管６ａに紐状物６を巻回した巻回体６ｂは、該巻回体６ｂから伸びる紐状物６を保持具４に挿入し、切断具１の掴持空間部２ｄで紐状物６の一端を掴持できる長さにした、保持具４を切断具１の後部開口部に挿着し、掴持空間部２ｄから紐状物６の一端を掴持できるようになる。次に、保持具４方向から紐状物６を支持台５の切欠き部５ｃで逃がしながら切断具１の後部から押圧し適度の狭持手段により支持台５に支持され切断具１の把持部２ａを把持することで持ち運びが楽になり、新たに把持部を製作する必要もなく廉くすることが可能になる。また、図４（ｂ）の斜視図より複数の各種巻回体６ｂを使用する場合の説明をする。前記同様に支持台５は、台座５ｂに複数支柱体５ａが植設される。切断具１は、単数でも複数でも使用可能な数だけを支持し複数の巻回体６ｂが遊挿される。
【００２３】また、切断具１の保持の仕方は、この限りではなく図指示は、してないが中空の支柱体５ａ  の側面部に開口部５ｂ  から伸びるＬ字型のスリットが形成し切断具１の後部の突設部を有し挿入しＬ字型スリットを係合しガイドされ切断具１を左に回動すことで立設する別方法としても可能である。
【００２４】図５より紐状物６３に至るまでの切断具１の操作を説明する。ここで、切断具１を傾けることで相対的位置の変化を示し紐状物６０、６１、６２、６３ですべて同一方向である。まず、紐紐状物６０を保持具４の保持孔４ａに挿入し繰出して、保持具４の上面部から掴持空間部２ｄで把持できる長さにした後に切断具１の下部開口部に挿着され梱包するために、張設する係止具８の係止具頭部８ａと係止具巻回部８ｂ  の角部８ｃに数回巻回することで係止していた、また、紐状物６０は、切断具１を傾け紐状物６１に対して垂直し前記切断具１を引くことで張設され自動的に係止具頭部８ａの周囲を回り解けて紐状物６２の状態となる。そして、前記紐状物６２の状態から切断具１を開口部に傾けると、紐状物６２は保持具４の保持手段により張設されながら更に切断具１を傾けると、掴持空間部２ｄから誘導溝２ｃを通過し刃断空間部３ｄの切断刃３上に導かれ紐状物６３の状態となり切断刃３に当接された後に、切断具１の把持部２ａを把持しながら切断具１の開口部を数回、手で把持部２ａを持ち振る（この図では手前方向となる）ことで、切断刃上と紐状物が交叉するように数回振られ簡単に切ることが可能になる。また、従来のように紐状物６を梱包前に所要長さにわざわざ切る必要もなく、切った紐状物６の一端を解けないようにする必要もなく至便が高くなる。更に、切断具１の基管体２に内部に紐状物６は保持具４の保持力手段より保持状態となり切断具１の掴持空間部２ｄから一端を常に掴持できる状態になっていて次の梱包の準備に備えている。
【００２５】図６（ａ）より狭持具７の構造及び機能の説明をする。まず、方形を有した樹脂性からなる基体７ａの中央付近に係止空間部７ｃを形成し該係止空間部７ｃから上方に案内溝７ｈと上部開先部７ｂが刻設され係止空間部７ｃの下方に狭持する形状を有する係止部７ｇが刻設する。また基体７ａの下部長辺に下部開先部７ｄ、７ｅと中央部に弧状空間部７ｋが干渉をすることなく刻設すると凸部が形成され更に、両縁部の短辺からどちらか一方の面に突設部７ｉ、７ｊを有する。また、狭持具７は方形の限ったことではなく図６（ｂ）のように円環形を有した樹脂性からなる基体７ａと係止空間部７ｃから形成されても可能である。
【００２６】図７（ａ）、（ｂ）、（ｃ）から紐状物６と狭持具７で結紐することなく梱包物Ｂを緊締する説明をする。まず、紐状物６を梱包物Ｂの周囲に巻掛けた後は、紐状物６００とし切断具１（図指示無し以後省略）に係合する。まず、狭持具７の上部開先部７ｂから紐状物６の一端を係止部７ｇに係止した後に、弧状空間７ｋを通し該紐状物６の一端方向に曲げ、梱包物Ｂに手で把持しながら載置した後に切断具１で梱包物Ｂの周囲に紐状物６００を巻掛けた後、該切断具１で紐状物６００を引きながら張設し下部開先部７ｄから介挿し中央部の弧状空間７ｋで前記紐状物６に係合するように曲げながらまた、紐状物６００は、下部開先部７ｅから介挿し弧状空間７ｋで前記紐状物６に係合する。７（ｂ）より前記から切断具１で狭持具７の弧状空間７ｋを紐状物６００が数回券回すると弧状空間７ｋ内で紐状物６００が束状になり、梱包物Ｂの間に挟持され該弧状空間７ｋは、上に凸を形成しているので解れ難くまた、紐状物６００で結紐することなく確実に挟持され後に切断具１で狭持具７の上部開先部７ｂから係止空間部７ｃに挿入された後に紐状物６を切断具１で切る。次に、図７（ｃ）より紐状物６００を切った後に突接部７ｉ，７ｊを上向く方向にし狭持具７を張設しているので紐状物６の下に挿入し狭持具７は、紐状物６からずれようとするが突接部７ｉ，７ｊにより係止しここで完了する。
【００２７】次に、図８（ａ）  より円環形した狭持具７の狭持の説明をする。上部開先部７ｂの対向位置に紐状物６を係止し梱包物Ｂの周囲に巻き掛けた後の前記同様に紐状物６００を張設しながら数回巻回する。図８（ｂ）より数回巻回した後に上部開先部７ｂから係止空間部７ｃに挿入し紐状物６００は、ここで切断具１により切られ図８（ｃ）より切った後は、狭持具７を紐状物６の下に挿入しここで完了する。
【００２８】図９（ａ）  、（ｂ）、（ｃ）から実際の切断具１依り梱包物Ｂに紐状物６を結紐することなく狭持具に狭持することで緊締する。まず、図８（ａ）より支持台５に遊挿した巻回体６ｂから紐状物６が伸び切断具１に係合し、狭持具７に紐状物６の一端を係止した後に梱包物Ｂに切断具１で巻掛けまた、狭持具７に係合した後に切断具１の係止具８に数回巻回し係止し張設しながら切断具１で引くようにする。更に、図９（ｂ）より狭持具７を中心に数回巻回することで狭持具７と梱包物Ｂの間に狭持され紐状物６は係止されまた、狭持具７に係止した後に紐状物６方向に切断具１の開口部を向けると保持具４により切断具１を引くことで張設されている状態である。そして、図９（ｃ）より切断具１の開口部を紐状物６の方向に傾けると切断刃に導れた紐状物６は、保持具４で適度に張設されているので切断具１の開口部を左右方向Ｅに振ることで紐状物６は切り、該紐状物６の下に保持具４を挿入する。
【００２９】次に生活塵で充填された厨芥袋Ｃは、電気掃除機等の真空手段により内部の空気を脱空装置で排除し大気圧により厨芥袋Ｃで食材トーイのプラスチック等のエッジで圧潰するときに厨芥袋Ｃを破損し空気が流れ込み膨らむ前にコンパクトに成った時点で緊締するために必要となる。まず、図１０（ａ）  、（ｂ）、（ｃ）より厨芥袋Ｃを結紐することなく緊締する説明をする。前記同様に、まず、図１０（ａ）より支持台５に遊挿した巻回体６ｂから紐状物６が伸び切断具１に係合し狭持具７に紐状物６の一端を係止した後に厨芥袋Ｃに切断具１で巻掛けまた、狭持具７に係合した後に切断具１の係止具８に数回巻回し係止し張設しながら切断具１で引くようにする。更に、図１０（ｂ）より狭持具７を中心に数回巻回することで狭持具７と厨芥袋Ｃの間に狭持され紐状物６は係止されまた、狭持具７に係止した後に紐状物６方向に切断具１の開口部を向けると保持具４により切断具１を引くことで張設されている状態である。そして、図１０（ｃ）  より切断具１の開口部を紐状物６の方向に傾けると切断刃に導れた紐状物６は、保持具４で適度に張設されているので切断具１の開口部を左右方向Ｅに振ることで紐状物６は切り、該紐状物６の下に保持具４を挿入する。
【００３０】
【発明の効果】以上の結果、切断具１の係止具に数回巻回することで切断具を手で強く引くことで紐状物は、張設され狭持具と梱包物の間に押圧され数回巻回したことで強く狭持され、結紐することなく梱包物や厨芥袋に確実に緊締する。また、紐状物は掴持空間部そして誘導溝を通過し刃断空間部部に導かれ切断刃上に紐状物が左右に切断具の把持部を左右に振ることで、僅かな力で安全且つ簡単に切れることが可能になりそして、支持台の支柱体の開口部から切断具を挿着することで、別に把持部を設けることなく切断具の把持部を把持し持ち運びが楽になりまた、常備紐状物の側に常設してあるのでカッターナイフ等を探す手間が省ける。また、複雑な保持手段の機構もないため部品等も非常に少なくすることで、廉く提供できるし老若男女問わず誰でも安全且つ、簡単に使用することが可能になった。
【図面の簡単な説明】
【図１】（ａ）  切断具の斜視図である。
（ｂ）  掴持空間部と誘導溝の関係を示した正面図である。
【図２】保持具の斜視図である。
【図３】支持台の斜視図である。
【図４】（ａ）  支持台に切断具と券回体を挿着した斜視図である。
（ｂ）  支持台に切断具と複数の券回体を挿着した斜視図である。
【図５】切断具を誘導溝に並行に断面した断面図である。
【図６】（ａ）方形の狭持具の正面図である。
（ｂ）円環形の狭持具の斜視図である。
【図７】（ａ）、（ｂ）、（ｃ）の順に梱包物を狭持具（方形）で緊締する順序の斜視  図である。
【図８】（ａ）、（ｂ）、（ｃ）の順に狭持具（円環形）で緊締する順序の斜視図である。
【図９】（ａ）梱包物を切断具で巻状物を係合し狭持具で張設する斜視図である。
（ｂ）梱包物を切断具で巻状物を狭持具で狭持し緊締する斜視図である。
（ｃ）梱包物する時の切断具で巻状物を切った後の斜視図である。
【図１０】（ａ）厨芥袋を切断具で巻状物を係合し狭持具で張設する斜視図である。
（ｂ）厨芥袋を切断具で巻状物を狭持具で狭持し緊締する斜視図である。
（ｃ）厨芥袋する時の切断具で巻状物を切った後の斜視図である。
【符号の説明】
１  切断具
２  基管体
２ａ  把持部
２ｂ（図指示無し）
２ｃ  誘導溝
２ｄ  掴持空間部
２ｅ（図指示無し）
２ｆ  掴持部周縁
２ｇ  開先部
３  切断刃
３ａ    挿入溝
３ｂ  切断空間部
４  保持具
４ａ  保持孔
４ｂ  切込み線
５  支持台
５ａ  支柱体
５ｂ  台座
５ｃ  切欠き部
５ｄ  開口部
６  ６０  ６１  ６２  ６３  紐状物
６ａ    紙管
６ｂ  巻回体
７  狭持具
７ａ  基体
７ｂ  上部開先部
７ｃ  係止空間部
７ｄ  ７ｅ  下部開先部
７ｆ  （図指示無し）
７ｇ  係止部７
７ｈ  スリット
７ｉ，７ｊ  突設部
７ｋ  弧状空間部
８  係止具
８ａ  係止具頭部
８ｂ    係止具巻回部
８ｃ  角部
Ａ  断面５
Ｂ  梱包物
Ｃ  厨芥袋
Ｄ  （図支持無し）
Ｅ  方向
【図１】
2004323051.tif 000003
【図２】
2004323051.tif 000004
【図３】
2004323051.tif 000005
【図４】
2004323051.tif 000006
【図５】
2004323051.tif 000007
【図６】
2004323051.tif 000008
【図７】
2004323051.tif 000009
【図８】
2004323051.tif 000010
【図９】
2004323051.tif 000011
【図１０】
2004323051.tif 000012